(57)【要約】【課題】  高湿度のときは膨らみ、乾燥時には収縮しやすい桐材を使用し、湿度の変化に関係なく連接して敷設した板材間に隙間が生じない桐製板材を提供する。【課題を解決するための手段】  本発明の桐製板材１は、一側端部に雄実２を有し、対向する他側端部に雌実３を有し、隣接する桐製板材１の連接する雄実２と雌実３を嵌合して敷設する方形の桐製板材１である。該桐製板材１の雄実２上方の凹段部６ａと、桐製板材１の雌実３の上方の突出部７に先端面６，８を有している。隣接する桐製板材１の雄実２と雌実３を嵌合するとき先端面６，８を圧接させることで、湿度の変化に関係なく、常に密着した状態を保つことができる。【選択図】      図１
2008019666.tif 000002
【特許請求の範囲】
【請求項１】
一側端部に雄実を有し、対向する他側端部に前記雄実と嵌合可能な形状の雌実を有する方形の桐製板材であって、
該桐製板材の雄実上方に凹段部を有し、雌実上方に突出部を有し、前記凹段部の先端面と雌実上方の突出部の先端面の少なくとも一方に突起を有することを特徴とする桐製板材。
【請求項２】
前記先端面が、雄実近傍或は雌実近傍より桐製板材の表面側が順次大きくなる傾斜面を有し、前記突起が傾斜面の頂部に形成されたことを特徴とする請求項１記載の桐製板材。
【請求項３】
前記突起が、雄実の上側凹段部或は雌実の上側突出の先端面に段差として形成されたことを特徴とする請求項１記載の桐製板材。
【請求項４】
請求項１ないし３のいずれかに記載の複数の桐製板材を用い、前記対向する側端部に雌雄１対の実を有する第１の桐製板材を固定部材により下地上に固定した後、該第１の桐製板材の雌雄何れか一方の実に第２の桐製板材の雌雄何れか他方の実を嵌合し、前記雄実の上側凹段部の先端面と雌実の上方突出部の先端面とを前記突起の部分で圧接させ、第２の桐製板材を固定部材により下地上に固定し、その後第３以降の板材を同様に嵌合固定することを特徴とする桐製板材の連接敷設工法。
【発明の詳細な説明】
【技術分野】
【０００１】
本発明は、桐製板材、及びこの桐製板材により床を形成する桐製板材の連接敷設工法に関する。
【背景技術】
【０００２】
従来、床などに木製の長方形の板を連接して敷設する際、対向する側部に雄実と雌実を形成し、下地上に１枚の板を固定し、この固定した板の雄実に次の板の雌実を嵌め合せて固定することを繰返しながら敷設していた。こうして敷設した板は、経時変化により乾燥して収縮し、連接した板と板の間に隙間が生じて見苦しいばかりでなく、この隙間にゴミが溜まり不衛生であった。こうした不具合を解決するためになされたものとして特開平７−１８８３２号の木質床板（特許文献１）があった。
【０００３】
図３に示すように、特許文献１に記載された木質床板は、一側端部に雄実１３を形成し、他側端部に雌実１４を形成した基板１１の上面のみに化粧の突板１２を張ったものである。木質床板における基板１１の雄実１３側の側端部上面に凹段部１６を形成し、基板１１の雌実１４側の側端部上面に突出片１７を形成している。雄実１３を雌実１４に嵌合して敷設する際、突出片１７が凹段部１６上に載るようにする。また木質床板において、雄実１３の上に図示しないがコーキング材を配し、雄実１３を雌実１４に嵌合して敷設する際、突出片１７がコーキング材の上に載るように形成している。すなわち、雌実１４側の側端部上面を突出片１７に形成し、連接した木質床板間の隙間を覆い隠すものにすぎなかった。
【特許文献１】特開平７−１８８３２号文献
【発明の開示】
【発明が解決しようとする課題】
【０００４】
本来、杉や松などの木質床材は、使用中の経時変化により床材が収縮して瘠せ、連接した床材間に隙間が生じ大変見苦しく美観が損なわれていた。したがって、雌実側の側端部上面の突出片を設けた前記木質床板であっても、経時変化により連接した木質床板が瘠せ両木質床板間に生じた隙間を一方の木質床板の突出片により覆い隠したとしても、この覆い隠した木質床板の突出片とこの木質床板に連接した木質床板の間に生ずる隙間は覆い隠すことができず、美観が失われていた。また、前記木質床板は、木質の柔かい桐材などで製作すると、雌実側の側端部上面の突出片が損傷しやすく、使用に耐えられないのみならず、損傷した突出片の痕が大きく目立つため、連接した床材間の美観をむしろ損ねる結果となる。また、桐製板材は、外気の乾湿の影響で伸縮しやすい性質を有し、高湿度のときは膨らみ、乾燥時には収縮しやすい。したがって、高湿度の梅雨時に敷設した桐製板材は膨張しており、乾燥した冬場や冷暖房による除湿の影響で収縮すると、連接した桐製板材間に隙間が生じやすかった。
【０００５】
本発明は、経時変化が少なく、高湿度のときは膨らみ、乾燥時には収縮しやすい桐材の特質を生かし、桐材の経時変化や気候の乾湿に関係なく連接して敷設した板材間に隙間が生ぜず、高湿度の梅雨時でも安心して敷設できる桐製板材を提供するものである。
【課題を解決するための手段】
【０００６】
上記の目的を達成するために本発明の桐製板材は、一側端部に雄実を有し、対向する他側端部に前記雄実と嵌合可能な形状の雌実を有する方形の桐製板材であって、
該桐製板材の雄実上方に凹段部を有し、雌実上方に突出部を有し、前記凹段部の先端面と雌実上方の突出部の先端面の少なくとも一方に突起を有することを特徴としている。
【０００７】
この桐製板材は、前記先端面が、雄実近傍或は雌実近傍より桐製板材の表面側が順次大きくなる傾斜面を有し、前記突起が傾斜面の頂部に形成された構成としたり、前記突起が、雄実の上側凹段部或は雌実の上側突出の先端面に段差として形成された構成とすることもでき、先端面の形状に拘るものではない。
【０００８】
本発明の複数桐製板材を連接敷設する桐製板材連接敷設工法は、上記のいずれかの複数桐製板材を用い、前記対向する側端部に雌雄１対の実を有する第１の桐製板材を固定部材により下地上に固定した後、該第１の桐製板材の雌雄何れか一方の実に第２の桐製板材の雌雄何れか他方の実を嵌合し、前記雄実の上側凹段部の先端面と雌実の上方突出部の先端面とを前記突起の部分で圧接させ、第２の桐製板材を固定部材により下地上に固定し、その後第３以降の板材を同様に嵌合固定することを特徴としている。
【発明の効果】
【０００９】
本発明の桐製板材は、一側端部に雄実を有し、対向する他側端部に雌実を有し、隣接する桐製板材の雄実と雌実を嵌合する方形の桐製板材において、該桐製板材の雄実上方に凹段部を有し、雌実上方に突出部を有し、前記凹段部の先端面と雌実上方の突出部の先端面の少なくとも一方に突起を有するので、隣接する桐製板材の雄実と雌実を嵌合したとき、前記凹段部の先端面と雌実上方の突出部の先端面とを突起部分を弾性変形させることで圧接することができる。桐製板材は、経時変化が少ないが、外気の湿度の影響を受けやすく、外気湿度が高いと膨らみ、乾燥して外気湿度が低くなると収縮する。桐製板材を敷設する時、下地上に第一の桐製板材を釘などの固定部材で固定し、この固定した第一の桐製板材の雄実或は雌実に、連接する第二の桐製板材の雌実或は雄実を嵌合し、前記雄実の上側凹段部の先端面と雌実の上方突出部の先端面とを圧接させ、第２の桐製板材を釘などの固定部材で固定することを繰り返す。こうして敷設した複数の桐製板材は、雄実の上側凹段部の先端面と雌実の上方突出部の先端面とが強力に圧縮されている。したがって、圧接している部分は弾性変形して隙間がない状態である。そのため、敷設時より高湿度になったときは、突起が膨張してされに圧接力が強くなり、隙間は生じない。反対に、冷暖房中の乾燥した室内では、突起が収縮することになる。しかし、収縮すると圧接力が低下するので、弾性変形していた分が戻り、やはり隙間はできない。このように、湿度が変化しても、連接した桐製板材間に隙間が生じないから美観に優れ、隙間にゴミが溜まることもなく衛生的に敷設できる。
【発明を実施するための最良の形態】
【００１０】
以下、本発明の実施の形態を添付図面により説明する。図１に示すように、本発明の桐製板材１は、方形の板材（普通は長方形である）の対向する両側端部の一側端部に雄実２を有し、対向する他側端部に雌実３を有し、この雌雄の実２，３は、互いに嵌合される形状になっている。図１には、２枚の桐製板材１，１の対向部分を記載しているので、１の桐製板材１には雄実２又は雌実３のいずれか一方しか描かれていないが、１の桐製板材１の一方側には雄実２が、他方側には雌実３が形成されている。雄実２の上下には、凹段部４，４ａが形成されている。雄実２は下辺の凹段部４ａより上辺の凹段部４の方が大きく示してあるのは、図示したように釘などの固定部材により桐製板材を下地に固定しやすくするためである。また、材質の弱い桐製板材１は、釘などの固定部材５により下地Ｘに固定する際、雄実２が損傷を受けやすいので、このように下側の凹段部４ａを小さくすることにより雄実２を強化して損傷を防いでいる。この雄実２上方に形成される凹段部４側の先端面６には、雄実２の基部から桐製板材１の表面に向かって徐々に先端側に向かう傾斜面６ａがあり、その頂部に突起６ｂが形成されている。傾斜面６ａを形成することで、固定部材としての釘５を打ち込みやすくなっている。一方、桐製板材１の対向する他側端部には雌実３が形成されており、この雌実３の上側の突出部７の先端面８には、雌実３の開口側から桐製板材１の表面に向かって順次先端側に傾斜する傾斜面８ａがあり、その頂部に突起８ｂが形成されている。
【００１１】
上記構成の複数の桐製板材１を連接敷設するときは、下地Ｘ上に第１の桐製板材１を釘などの固定部材５で固定した後、第１の桐製板材１の雌雄何れか一方の実２に、第２の桐製板材１の雌雄何れか他方の実３を嵌合する。こうして第１と第２の桐製板材１の雌雄の実２，３を嵌合し、第２の桐製板材１を第１の桐製板材１方向に強圧し、第１と第２の桐製板材１の間の突起６ｂ，８ｂを強圧圧縮し、第２の桐製板材１を固定部材５により下地Ｘ上に固定する。この後、第３の桐製板材１の雌雄何れか他方の実３を嵌合し、以下同様に、第４以下の桐製板材を連接する。
【００１２】
先端面６，８は、桐製板材１の表面近くでは突起６ｂ，８ｂが弾性変形して強力に圧接し、雄実２に近い方では空間が形成されている。したがって、突起６ｂ，８ｂは小さな面積で圧接していることになり、この部分では、圧接力で弾性変形し易い状態である。
【００１３】
昔から桐材は、経時変化が少なく外気の湿度の影響で膨縮しやすいことが知られており、特に外気の湿度の高い梅雨時に敷設した桐板は、外気が乾燥した冬場に大きく収縮し、連接した桐板の間に隙間が生じやすく、この隙間が見苦しいのみならず、隙間にゴミが溜まり不衛生であった。本発明の桐製板材１の先端面６，８は、表面積の割に体積が小さいため桐製板材１の本体部分と比べ乾湿の影響を受けやすく、梅雨時に膨らみ冷暖房された室内では収縮しやすかった。
【００１４】
本発明では、先端面６，８は小さな面積で圧接しているので、敷設時より高湿度になったときは、桐製板材１が膨張して雄実の上側凹段部の先端面６と雌実の上方の突出部の先端面８との圧接力がさらに強くなり、隙間は生じない。反対に、敷設時より乾燥した場合は、桐製板材１が収縮するが、収縮によって圧接力が低下し、圧接力で縮小していた突出部７が弾性により戻るので、やはり隙間はできない。このように、湿度が変化しても、連接した桐製板材間に隙間が生じないから美観に優れ、隙間にゴミが溜まることもなく衛生的に敷設できる。したがって、一番条件の悪い梅雨時に敷設した場合でも、雄実の上側凹段部の先端面６と雌実の上方の突出部７の先端面８とを適切に圧接しておけば、最も乾燥した状態になっても、隙間ができることはない。もちろん、梅雨時以外に敷設した桐製板材１は、第１の桐製板材１と第２の桐製板材１の間にもっと隙間が生じない。以上のとおり、本発明の先端面６，８を有する桐製板材１を敷設した床や壁などは、室内の空気が乾燥し桐製板材１が乾燥して収縮しても隙間が生じることがない。また、四季を通して隙間の生じない衛生的な桐製床等を得ることができる。
【００１５】
また、先端面６，８の雄実２側に傾斜面６ａを設け、雌実部３側に傾斜面８ａを設け傾斜面６ａ，８ａの頂部に突起６ｂ，８ｂを形成することで、先端面６，８の接触面積を小さくすることができるので、接触部の弾性変形を大きくすることができ、より隙間をできにくくすることができる。
【００１６】
図２に示すように、前記先端面６，８を雄実２の上側凹段部４の上側或は雌実３の上側の突出部７の上側に段差９ａのある先端面９として形成しても良い。すなわち，階段状の段差９ａのある台状にしても良く、作用効果は前記実施例と同じであり、さらに、先端面６，８，９の形状は、図示し説明した形状に拘るものではない。
【産業上の利用可能性】
【００１７】
本発明の桐製板材は、建造物の床や壁面などに連接して敷設する材質の柔らかな桐製の板材として施すことができる。
【図面の簡単な説明】
【００１８】
【図１】本発明の桐製板材の敷設状態を示す要部分解断面図である。
【図２】本発明の桐製板材を示す要部分解断面図である。
【図３】従来の木質床板の連接状態を示す要部斜視図である。
【符号の説明】
【００１９】
Ｘ          下地
１          桐製板材
２          雄実
３          雌実
４          凹段部
４ａ        凹段部
５          釘などの固定部材
６          先端面
６ａ        傾斜面
７          突出部
８          先端面
８ａ        傾斜面
９          先端面
９ａ        段差
【図１】
2008019666.tif 000003
【図２】
2008019666.tif 000004
【図３】
2008019666.tif 000005